(57)【要約】本開示実施例は液晶ディスプレイの視覚増強のための方法及び装置を提供する。視覚増強モジュールに付随するマイクロプロセッサ又は内蔵されたマイクロコントローラは、単一インバータが複数ＣＣＦＬのアレイの照度の制御を可能にする。マイクロコントローラは全てのランプの動作電流を継続的に検知し、各ランプに等しい電流が加えられることを確実にするキャパシタンスを並列スイッチすることにより個別のランプの照度バラツキを調整する。マイクロコントローラは適切な制御信号を生成し、輝度調整を行うために電流を修正するデジタルサーボ制御アルゴリズムを実行する。
2007511062.tif 000002
【特許請求の範囲】
【請求項１】
複数機器アレイの各発光機器の個別出力情報を検知し、
各発光機器に個別電流制御信号を生成する為の出力情報を処理し、
電流制御信号に従い単一インバータを通して各発行機器に加えられた  動作電流を調整する、
ことを特徴とする複数発光機器の電流制御方法。
【請求項２】
前記発光機器は冷陰極蛍光ランプであることを特徴とする請求項１に記載の複数発光機器の電流制御方法。
【請求項３】
前記インバータはドライバと置き換えられ、前記発光機器は発光ダイオードであることを特徴とする請求項１に記載の複数発光機器の電流制御方法。
【請求項４】
複数機器アレイの各発光機器個別出力情報を検知するセンサと、
各発光機器に個別電流制御信号を生成するための出力情報を処理するマイクロコントローラと、
個別電流制御に従い単一インバータを通して各発光機器に加えられた個別動作電流を調整する電流制御回路及びサーバー制御システムソフトウェアと、
からなる複数発光機器の電流制御装置。
【請求項５】
前記センサが電流センサであることを特徴とする請求項４に記載の複数発光機器の電流制御装置。
【請求項６】
前記センサがライトセンサであることを特徴とする請求項４に記載の複数発光機器の電流制御装置。
【請求項７】
前記発光機器が冷陰極蛍光ランプであることを特徴とする請求項４に記載の複数発光機器の電流制御装置。
【請求項８】
前記インバータがドライバと置き換えられ、また前記発光機器が発光ダイオードであることを特徴とする請求項４に記載の複数発光機器の電流制御装置。
【請求項９】
マイクロコントローラから電流制御信号を受信し、
電流制御信号から電圧制御信号を分離し、
トランジスタと互換性のある分離電圧制御信号を生成する為に電圧制御信号にフィルタをかけ、
トランジスタの基部にインピーダンスを設定し、
発光機器によって必要とされる電流応答に従い前記トランジスタを動作し、
電流制御信号に指定された代替電流を生成する為にトランジスタに電流制御信号を加えるとともに、
前記発光装置に代替電流の両極性を通すことを特徴とする、
複数発光機器の照度を変更する方法。
【請求項１０】
前記トランジスタが線形モードで動作することを特徴とする請求項９に記載の複数発光機器の照度を変更する方法。
【請求項１１】
前記トランジスタがスイッチモードで動作することを特徴とする請求項９に記載の複数発光機器の照度を変更する方法。
【請求項１２】
前期発光機器が冷陰極傾向ランプであることを特徴とする請求項９に記載の複数発光機器の照度を変更する方法。
【請求項１３】
マイクロコントローラから電流制御信号を受け取り、電流制御信号から電圧制御信号を分離するアイソレータと、
トランジスタと互換性のある分離電圧制御信号を生成する為に電圧制御信号にフィルタをかけるキャパシタと、
トランジスタの基部でインピーダンスを設定するレジスタと、
電流制御信号によって指定された代替電流を電圧制御信号から生成するトランジスタと、
発光装置に代替電流の両極を通すダイオードブリッジと、
を備えた発光機器の照度を修正する回路。
【請求項１４】
前記アイソレータは光学アイソレータであることを特徴とする請求項１３に記載の発光機器の照度を修正する回路。
【請求項１５】
前記アイソレータは、電流制御信号を次に電圧に変換される比例光出力に変換する光起電性コンバータであることを特徴とする請求項１３に記載の発光機器の照度を修正する回路。
【請求項１６】
複数機器アレイの個別発光機器の個別出力情報を検知し、
発光機器に個別電流制御信号を生成するための出力情報を処理し、
電流制御信号に指定された動作電流を生成する為に並列キャパシタに結合された複数スイッチに電流制御信号を加えるとともに、
動作電流で発光機器を駆動する、
ことを特徴とする発光機器の照度を修正する方法。
【請求項１７】
発光機器が冷陰極蛍光ランプであることを特徴とする請求項１６に記載の発光機器の照度を修正する方法。
【請求項１８】
発光機器が発光ダイオードであることを特徴とする請求項１６に記載の発光機器の照度を修正する方法。
【請求項１９】
複数機器アレイの個別発光機器の個別出力情報を検知するためのセンサと、
発光機器に個別電流制御信号を生成する為に出力情報を処理するマイクロコントローラと、
電流制御信号に指定された動作電流を生成するために並列キャパシタに結合されたスイッチと、
動作電力に駆動される発光機器と、
を備える発光機器の照度を修正する回路。
【請求項２０】
前記発光機器が冷陰極蛍光ランプであることを特徴とする請求項１９に記載の発光機器の照度を修正する回路。
【請求項２１】
前記発光機器が発光ダイオードであることを特徴とする請求項１９に記載の発光機器の照度を修正する回路。
【発明の詳細な説明】
【技術分野】
【０００１】
[関連出願の相互参照]
本出願は、２００３年１１月６日に出願された米国仮出願番号６０／５１８，４９０の実用変更で、２００３年２月６日に出願された米国仮出願番号６０／４４５，９１４の変更で国際出願日が２００４年２月６日の同時係属ＰＣＴ出願番号ＰＣＴ／ＵＳ２００４／００３４００と部分的に継続する。
【０００２】
本開示実施例は一般的に、冷陰極蛍光灯や、発光ダイオードなどの発光装置の制御に関する。具体的には、本開示実施例は液晶ディスプレイのバックライト制御に関する。
【背景技術】
【０００３】
冷陰極蛍光灯（ＣＣＦＬｓ）は、現在ノートブックや、ラップトップコンピューターのモニターの液晶ディスプレイのバックライト、カーナビゲーションディスプレー、ＰＯＳターミナル、及び医療機器のバックライトとして一般的に使用されている。ＣＣＦＬは、その優れた照明と、費用効率のため、ノートブックコンピューターや、さまざまなポータブル電子機器のバックライトに使用するため急速に導入されてきた。これらの用途は一般的に均一なディスプレイ輝度と、照度を要求される。
【０００４】
通常液晶材は、拡散板層によりＣＣＦＬバックライト装置から分離され、各ディスプレイ画素の光を分極する。このランプは高交流（ＡＣ）動作電圧を必要とすることから、ＣＣＦＬを駆動させるためＤＣ／ＡＣインバータが必要とされる。ＬＣＤパネルのサイズが大きくなると、必要な照度を供給するため複数のランプが必要とされる。従って、複数ＣＣＦＬアレイを駆動するため効率的なインバータが必要とされる。
【０００５】
照明の強度はインバータによりＣＣＦＬにかけられた動作電流によって判断される。従来の複数ランプパネルアレイでは、各ランプは独自の高コストなインバータによって駆動される、もしくは一つの共有インバータが、あらかじめ設定された全ランプの総電流によって判断された電流に全てのランプの動作電流を設定することにより駆動されなければならない。
【発明の開示】
【発明が解決しようとする課題】
【０００６】
しかしながら各ランプの輝度と強度は、年数、交換、及び固有製造ばらつきにより異なる。個々のランプの変動を調整することなく、各ランプに同じ基準電流を加えると、各ランプの照度に差異を生じる。照明高度の変動は、目に見える非拡散線の表示を引き起こす。従来の単一インバータ回路は、複数ランプアレイディスプレイパネル全体の照度を均一にするために、各ランプの動作電流を個別に検出し調整することはできない。
【０００７】
市場がＣＣＦＬのコストを下げるにつれ、結果として複数ランプアレイディスプレイパネルの使用が拡大し、インバータ品質、経済性、および機能性への需要が増加した。従来型のＬＣＤ機器用のバックライトは照度の均一性が不十分であった。よって、複数ランプＬＣＤディスプレイにおいてＣＣＦＬのアレイに加えられた電流を個別に検出及び調整が可能で経済的なインバータ技術の必要性がある。
【課題を解決するための手段】
【０００８】
ここに開示されている実施例は、複数ランプアレイにおいて個別電流設定維持が可能な単一ＣＣＦＬインバータを備えた視覚的増強制御モジュールの方法及び装置を提供することにより上述の必要性に対応するものである。
【０００９】
スイッチング回路を使用する視覚増強制御モジュールは、整流ブリッジ、トランジスタスイッチ、及びＣＣＦＬに直列につながれたマイクロコントローラインターフェースを備える。あるいは、スイッチキャパシタ回路がＣＣＦＬに直列につながれている。マイクロプロセッサが、電流を検知し、電流制御回路を駆動するのに使用する照度フィードバック情報のためのサーボ制御ソフトウェアを実行する。システムソフトウェアはランプ全体の電流と電圧を監視し、各ランプが電流量を得るのに必要な電気容量を判断する。視覚増強制御モジュールは、各ランプの電流および照度の正確な制御を維持すると同時に、複数ランプアレイを駆動する単一インバータを備える。
【００１０】
従って、一形態において、複数発光機器の電流制御方法が開示されている。本方法は複数機器アレイの各発光機器の個別アウトプット情報を検知し、電流制御信号に従い、個別インバータを通じて各機器に加えられた動作電流を調整する為に使用される個別電流制御信号を生成する為にアウトプット情報を処理する。
【００１１】
別の形態において、複数発光機器用の電流制御用装置が開示されている。本装置は複数機器アレイの各発光機器の個別アウトプット情報を検知するセンサと、各機器に個別の電流制御信号を生成する為のアウトプット情報を処理するマイクロコントローラと、電流等化回路及び、電流制御信号に従って単一インバータを通して各機器に加えられ動作電流を調整する為のサーバー制御システムソフトウェアを含む。
【発明を実施するための最良の形態】
【００１２】
本文で使用されている“典型的”という用語は、“例、事例、または実例として”と意味する。本文に「典型的」と示されているいかなる事例は、必ずしも他の事例よりも望ましい、または有利と解釈されない。
【００１３】
開示されている事例は、液晶ディスプレイの視覚的増強の方法および装置を規定する。マクロプロセッサまたは増強回路モジュールに付随する埋め込みマイクロプロセッサは、単一インバータが複数ＣＣＦＬのアレイの照度を制御することを可能にする。マイクロコントローラは、全てのランプの動作電流を継続的に検知し、キャパシタンスを並列スイッチングし、個別ランプの照明のばらつきを調整し、各ランプに均等な電流が加えられることを確実にする。マイクロコントローラは、適切な制御信号を生成し、輝度調節を行うために電流を変更するデジタルサーボ制御アルゴリズムを実行する。
【００１４】
図１は、ＬＣＤバックライトアレイの各ランプ１０４にインバータ１２０を必要とする従来のＣＣＦＬ制御回路１００を表す。蛍光ランプ１０４は著しい製造ばらつきを示す。ランプ１０４は、一次側回路１０６と二次側回路１０８を含むインバータ制御回路１２０によって駆動される。一次側回路１０６は高電流と低電圧を管理し、変圧器１１０の一次側に接続する。二次側回路１０８は、ランプ電流を調節する為、変圧器１１２の二次、安定器キャパシタ１１４、蛍光ランプ１０４、電流センサ１１６、およびポテンショメータ１１８に接続している。
【００１５】
一つ以上のランプが同じインバータ１２０に駆動されている場合、ランプのばらつきの理由で各ランプを通る電流は異なる。結果として、ＬＣＤパネル全体の輝度が不均一になる。インバータ１２０のランプ（変圧器１１２の二次電圧）に直接接続されている部分は、高電圧回路である。電圧の大きさが関係することから、回路１００はランプ１０４に加えられた電力を変える為に簡単に制御することができない。
【００１６】
従来の解決策は、各ランプ１０４に個別のインバータ１２０を使用することによって、問題を解決した。各ランプ１０４に個別のインバータ１２０を使用することで、ポテンショメータ１１８で個別ランプの電流調節することが可能である。低電圧で駆動する（変圧器の一次）インバータ１２０のスイッチング回路を駆動するため電流検知信号が使用される。従来の解決策は、ＬＣＤディスプレイに複数のインバータ１２０が使用されることから、非常にコストが掛かる。
【００１７】
図２では、図１で示されている従来制御回路によって駆動された複数ＣＣＦＬの電圧２００に対する特性電流の変動が図示されている。各ランプは、ランプの含有ガスを電離し、発光出力を達成する為にしきい値電圧（２０１、２０２）を必要とする。ランプがしきい値電圧に達すると、各ランプは動作電圧曲線によって示されている異なる電圧電流関係を示す。（２０３，２０４）
【００１８】
図３は、２つのＣＣＦＬが同じインバータに駆動されている場合の従来の電圧に対する特性電流のばらつきを示している。各曲線（３０５，３０６）は、しきい値電圧が得られたあと異なる。目標ランプ電流がＩＯＰ  ３０１の公称動作電流と等しく、また公称維持電圧がＶＳＵＳ  ３０２と等しい場合、ランプ１に加えられた電圧は、Ｖ１  ３０３のデルタを差し引いたＶＳＵＳのランプ１全体の電圧を得る為、Ｖ１のデルタによって低減されなくてはならない。同様に、ランプ２電圧に加えられた電圧は、Ｖ２  ３０４のデルタを差し引いたＶＳＵＳのランプ２全体の電圧を得る為、Ｖ２のデルタによって低減されなくてはならない。ランプ全体の電圧低減は結果として、両方のランプが同じＩＯＰの公称動作電流となり、均一な照度をもたらす。
【００１９】
図４は、本発明の１実施例に従い、Ｎ  ＣＣＦＬ４０１  のアレイバックライトの新規視覚増強閉ループ制御システムを表すブロック図である。
【００２０】
マイクロコントローラ４０２は、不揮発性メモリから、フィールドプログラマブルゲートアレイ（ＦＰＧＡ）４０６にインプットする電流制御信号４０２を生成するプログラム指令を構成する一つ以上のソフトウェアモジュールを実行する。ソフトウェアモジュールは、マイクロコントローラ、ＲＡＭメモリ、フラッシュメモリ、ＲＯＭメモリ、ＥＰＲＯＭメモリ、ＥＥＰＲＯＭメモリ、レジスタ、ハードディスク、リームーバブルディスク、ＣＤ−ＲＯＭまたはその他本技術分野で知られているあらゆる記憶媒体の形式に利用することができる。
【００２１】
ＦＰＧＡ４０６は、マイクロコントローラ４０２に指定された個別ＣＣＦ４０１を伴う視覚増強制御モジュール４０８に電流制御信号４０２を配信する。視覚増強制御モジュール４０８（図６及び図７に詳述）は、マイクロコントローラに指定された電流量で各ＣＣＦＬ４０１を駆動する。電流センサ４１０は、マイクロコントローラ４０２へフィードバックの為、実際の個別ランプ電流を継続的に検知する。電流センサ４１０による個別ランプ電流出力は、マイクロコントローラ４０２への入力のため、アナログマルチプレクサー４１２により多重化される。
【００２２】
マイクロコントローラ４０２に実行されるサーボ制御アルゴリズムソフトウェアモジュールは、電流センサ４１０により視覚増強制御モジュール４０８の設定を調節する為、多重化されたフィードバック情報を継続的に使用する。これらの設定調整は、年数、交換、固有製造ばらつき及び温度での変化による電流ばらつきを継続的に補うことにより個別ランプ電流を維持する。マイクロコントローラ４０２により実行されるソフトウェアモジュールは、同時にインバータ４１４（図１の要素１１２参照）の二次電圧出力を制御する、インバータ４１４の動作を制御調整する。インバータの二次電圧出力は、ＣＣＦＬ４０１に加えられる。
【００２３】
さまざまな実施例において、マイクロコントローラ４０２、インバータ４１４、メモリ、ＦＰＧＡ４０６、マルチプレクサ４１２、電流センサ４１０及び制御モジュール４０８のいずれの組み合わせも、プリント（ＰＣ）基板又は特定用途向け集積回路（ＡＳＩＣ）に一体化することができる。あるいは、マイクロコントローラ４０２、ＦＰＧＡ４０６及びマルチプレクサ４１２はインバータ組立４１４に一体化することができる。マイクロコントローラ４０２、ＦＰＧＡ４０６機能、及びマルチプレクサ４１２はまた同じ又は別の単一ＩＣに一体化することができる。さらに、一つ以上の制御モジュール４０８は、電流センサ４１０又はライトセンサ（図５、要素５１０参照）も含むことができる単一集積回路に一体化することができる。
【００２４】
マイクロコントローラ４０２に実行された一つ以上のソフトウェアによってサポートされたモジュールグラフィカルユーザーインターフェースは、後にサーボアルゴリズム保全設定をオーバーライドする為に、初期電流設定または任意で使用することができる。
【００２５】
図５は、本発明のほかの実施例に従い複数ＣＣＦＬの視覚増強制御システムを表す。図５に具体化された代替視覚増強制御システム５００は、マイクロコントローラ５０２にフィードバック情報を提供する為、電流センサ（図４、要素４１０参照）よりも、一つ以上のライトセンサ５１０を使用する。マイクロコントローラ５０２に実行されたサーボ制御アルゴリズムソフトウェアモジュールは、視覚増強制御モジュール設定を調整する為にライトセンサ５１０より提供された多重化されたフィードバック情報を継続的に使用する。これらの設定調整は、年数、交換、固有製造ばらつき及び温度による変化によるばらつきを継続的に補うことにより、希望する個別の輝度レベルを維持する。
【００２６】
図４に詳細されているように、視覚増強制御モジュール５０８はＣＣＦＬ５０１の電流を設定する。関連した視覚増強制御モジュール５０８を通して各ＣＣＦＬ５０１に加えられた電流量は、ロジックブロック５０６からの制御信号によって判断される。ロジックブロック５０６はＦＦＰＧＡ（図４、要素４０４参照）と同等の機能を行う。ロジックブロック５０６、マイクロコントローラ５０２及びアナログマルチプレクサ５１２は、単一統合デジタルコントローラ回路の部品でも良い。
【００２７】
視覚増強弊ループ制御システム５００へのフィードバックは、一つ以上のライトセンサ５１０によって提供される。ライトセンサ５１０はＣＣＦＬ５０１によるライト出力量を検知する。ライトセンサ５１０はアナログマルチプレクサー５１２へインプットするためのライト出力フィードバック信号を生成する。アナログマルチプレクサー５１２は、ライトセンサーフィードバック信号をマイクロコントローラ５０２へ内蔵することのできるアナログ／デジタル（Ａ／Ｄ）変換器へ通す。マイクロコントローラ５０２に実行された閉ループサーボ制御アルゴリズムソフトウェアモジュールは、各ＣＣＦＬ５０１の所定の輝度設定点を継続的に維持する。ＣＣＦＬ５０１が経年すると、ライトセンサ５１０で輝度出力レベルを判断することによって出力精度が有利に改善する。
【００２８】
複数ランプアレイの個別電流設定を一定の輝度に維持するのに加えて、上述の視覚増強制御システムの実施例は、バックライト発光機器の視覚効果を生成する為に操作することができる。視覚増強制御システムは、ディスプレイの選択された部分の光度を、増大、または低減するために使用することができる。たとえば、爆発が構成されるビデオ資料の、爆発が起こる場所のディスプレイ部分のライト出力レベルを増大することによって、３Ｄ効果を作成することができる。同様に、暗い路地のシーンなど陰によって増進された資料に視覚効果を作成することができる。視覚効果は、ディスプレイの特定な場所のバックライト機器からのライト出力量を変化させるソフトウェアモジュールを使用して、開示された制御システムによって作成することができる。
【００２９】
図６は、本発明の一実施例に従い図４と図５のブロック図に表された視覚増強制御モジュールを詳細する。視覚増強制御モジュール６００は、マイクロコントローラー（図示せず）によって外部で生成された制御信号に従い、個別ＣＣＦＬに加えられた電流を調整する。入力１  ６０２  及び２  ６０４  は、システムコントローラＦＰＧＡまたはロジックブロック（図示せず）によってマイクロコントローラから送られた電流制御信号を受け取る。制御信号は直流（ＤＣ）電圧またはパルス幅変調（ＰＷＭ）信号からなることができる。制御信号の値は、複数ランプアレイの各ＣＣＦＬを通して電流の量を判断する。
【００３０】
制御信号は、制御信号を孤立制御信号に変換する光学または光起電装置Ｕ１  ６０６に加えられる。レジスタＲ２  ６１２と  Ｒ３  ６１４は、Ｕ１  ６０６に加えられた制御信号に比例する指定された電流を設定する。光アイソレーターは制御信号をＵ１  ６１０の二次側に送る。
【００３１】
Ｕ１が光起電インバータである場合、Ｕ１の出力ＬＥＤ６２６によって生成された光はＵ１  ６１０の二次側によって電圧に変換される。キャパシタＣ１  ６１８はＵ１の出力をトランジスタＱ１  ６２２に対応する孤立制御信号を生成する為フィルタにかける。レジスタＲ１  ６２０はＱ１  ６２２の安定した動作が可能な値までＱ１  ６２２の基部にインピーダンスを設定する。トランジスタＱ１  ６２２は、ＣＣＦＬ電流応答により要求されたスイッチモードまたは線形モードで動作することができる。ダイオードＤ１−Ｄ４  ６２４からなる電流制御ブリッジは、ＣＣＦＬを駆動するため交流（ＡＣ）電流の両方の極性をＱ１  ６２２を通し送る。
【００３２】
この様にして受信された電流制御信号は、電圧に変換された比例光出力に変換され、制御信号によって指定された電流を生成する。制御信号に指定された電流はＣＣＦＬへの出力である。
【００３３】
図７は、本発明のそのほかの実施例に従い図４及び図５のシステムブロック図に図示されている視覚増強制御モジュールを詳細する。図７に例示されている代替視覚増強制御モジュール７００では、２つ以上のＣＣＦＬ（７０１，７０２）が単一インバータ７０３によって再び駆動されている。簡単にするため、２つの典型的なＣＣＦＬが示されている。視覚増強制御モジュール７００はＣＣＦＬ１  ７０１に電流制御回路７０４、そしてＣＣＦＬ２  ７０２に電流制御回路７０５が備えられている。制御回路（７０４，７０５）はスイッチ７１０によって結合された複数の並列キャパシタ７０８を備える。マイクロプロセッサ７０６はインバータ７０３を制御する。キャパシタ７０８の他の値は電流制御効果を変化させることに使用できる。
【００３４】
ＣＣＦＬによって必要とされる非常に小さなキャパシタンスの値により設計が困難になる。本発明のコントローラー（７０４，７０５）は、非揮発メモリに格納された較正アルゴリズムの実行する為のマイクロコントローラ７０６を備えることにより、これらの設計困難を克服する。マイクロコントローラは、電流センサ７１２およびマイクロコントローラ７０６の内部に置くことができるＡ／Ｄインバータで、各ＣＣＦＬ（４０１，４０２）を通して電流を測定する較正手順を実行する。マイクロコントローラ７０６は次に、適切な量よってランプ電圧を上昇、低減させる正しいキャパシタの組み合わせを得る為、適切なスイッチ７１０を閉じる。
【００３５】
ＣＣＬＦにより必要とされる高電圧によってさらなる設計困難がもたらされる。これらの困難は、制御回路（７０４，７０５）がＣＣＦＬ（４０１，４０２）動作点を変更するのに十分なだけわずかな電圧だけ必要とすることから、本発明の電流制御回路（７０４，７０５）によって同様に克服することができる。
【００３６】
しきい値電圧到達後のランプ特性曲線が非常に急勾配であることから、コントローラ全体の電圧は数百ボルトのみに違いない（図２及び図３参照）。電圧はすぐに利用できるキャパシタ及びスイッチ技術によって簡単に扱うことができる（Ｓｕｐｅｒｔｅｘ  Ｉｎｃ社の高電圧スイッチ部品番号ＨＶ２０２２０参照）。マイクロコントローラは、スイッチ７１０を開閉する制御にＰＷＭを使うことができる。ＰＷＭ負荷サイクルは、正確なキャパシタンスの値を判断する。このアプローチは更なるキャパシタ値の微調整を可能にする。
【００３７】
開示された視覚制御増強モジュールを使用した開示された視覚増強制御システムは、コストと性能を高度に最適化したＣＣＦＬ制御回路を提供する。アレイの全てのＣＣＦＬは、同一のインバータに駆動される間等しい（または指定された）輝度と電流を示すようにすることができる。
【００３８】
当業者は、上述の図に示されている段階の順序及び構成部品は限定されていないと理解するであろう。方法及び構成部品は、図示された段階及び構成部品の省略または再順序付けすることにより、開示された実例の範囲を逸脱することなく容易に変更することができる。
【００３９】
従って、発光器具一般及び、とりわけ例陰極傾向ランプの制御の新しく、改善された方法および装置が記載されている。当業者は、異なる技術や技法のいずれを使用し情報及び信号を示すことができることを理解するであろう。たとえば、上記の説明を通して言及されることがあるデータ、指令、コマンド、情報、信号、ビット、記号、及びチップは、電圧、電流、電磁波、磁界または磁性粒子、オプティカルフィールド又はパーティクル、もしくはこれらの組み合わせにより表すことができる。
【００４０】
当業者は、ここに開示されている事例に関連した、さまざまな実例となるロジカルブロック、モジュール、回路及びアルゴリズムステップは、電子ハードウェア、コンピューターソフトウェア、あるいは両方の組み合わせとして使用することができることをさらに認識するであろう。このハードウェアとソフトウェアの互換性を明確に表すには、さまざまな事例となる構成部品、ブロック、モジュール、回路及びステップが機能性の点で一般的に上述されている。そのような機能性がハードウェアまたはソフトウェアで使用されているかどうかは、特定の用途及びシステム全体に課せられた設計の制約に左右される。当業者は、説明された機能を各特定の用途によって異なる方法で使用するが、そのような使用の決定が本発明の範囲から逸脱を起こすと解釈されてはならない。
【００４１】
ここに開示された実例に関連したさまざまな実例となるロジカルブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはそのほかのプログラマブルロジック装置、個別ゲート、またはトランジスタロジック、個別ハードウェア部品、またはここに説明された機能を実行するために設計されたこれらのあらゆる組み合わせとともに使用、または実行することができる。汎用プロセッサは、マイクロプロセッサでもよいが、代替としてあらゆる従来型プロセッサ、コントローラ、マイクロコントローラ、または、ステートマシーンでもよい。またプロセッサは、コンピューターデバイスの組み合わせとして、すなわちＤＳＰとマイクロプロセッサの組み合わせ、複数マイクロプロセッサ、ＤＳＰコアとつないだ一つ以上のマイクロプロセッサ、またはあらゆるほかのそのような構成などで、使用することができる。
【００４２】
ここに開示されている事例に関連した方法、またはアルゴリズムのステップは、ハードウェア、プロセッサによって実行されるソフトウェアモジュールまたは２つの組み合わせに直接統合することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたはその他本技術分野で知られているあらゆる記憶媒体の形式に利用することができる。典型的な記憶媒体はプロセッサが記憶媒体から情報を読み出し、記憶媒体に情報を書き込むことができるようにプロセッサに連結している。別の方法では、記憶媒体はプロセッサに統合することができる。プロセッサと記憶媒体はＡＳＩＣに備えることができる。別の方法では、プロセッサと記憶媒体は個別部品として備えることができる。
【００４３】
先の開示された実施例の説明は、当業者が本発明を作成または使用することができるように提供されている。当業者には、これらの実施例へのさまざまな変更が容易に発見できるであろう、またここに定義された一般的原則は本発明の精神と範囲から逸脱することなく他の実施例に適用することができる。従って本発明はここにしめされている実施例に限定されることを意図しておらず、ここに開示された原則及び新機能に一致する最大限の範囲に合致することを意図する。
【図面の簡単な説明】
【００４４】
【図１】図１は単一ＣＣＦＬを駆動する従来のインバータ回路を示す。
【図２】図２は、従来の個別インバータによって駆動される複数ＣＣＦＬの電圧に対する特性電流の従来の変動を示す。
【図３】図３は、従来の共用インバータによって駆動される複数ＣＣＦＬの電圧に対する特性電流の従来の変動を示す。
【図４】図４は、本発明の一実施例に基づく、複数ＣＣＦＬ用の視覚的増強閉ループ制御システムを示す。
【図５】図５は、本発明のほかの実施例に基づく、複数ＣＣＦＬ用の視覚的増強制御システムを示す。
【図６】図６は、本発明の一実施例に基づく、視覚的増強制御モジュールを示す。
【図７】図７は、本発明の他の実施例に基づく、視覚的増強制御モジュールを示す。
【図１】
2007511062.tif 000003
【図２】
2007511062.tif 000004
【図３】
2007511062.tif 000005
【図４】
2007511062.tif 000006
【図５】
2007511062.tif 000007
【図６】
2007511062.tif 000008
【図７】
2007511062.tif 000009
【国際調査報告】
2007511062.tif 000010
2007511062.tif 000011
2007511062.tif 000012
2007511062.tif 000013
2007511062.tif 000014